(57)【要約】【課題】この発明は、利用者にとって有益な決済方法で決済処理できる利便性の高い決済処理装置、決済処理方法、及び決済処理システムを提供することを目的とする。【解決手段】複数の決済方法の決済方法データを記録する決済方法データ格納エリア３０７と、決済方法を所望の優先項目で順位付けする優先条件情報を記録する優先順位設定エリア３０８とを有する記録部２２２を備えた携帯電話１０と、決済方法毎の優先項目における決済条件情報を記録する決済条件情報テーブル３０６と、携帯電話１０から決済方法情報及び優先条件情報を取得する非接触ＩＣリーダライタ１０６と、決済処理する決済方法を決定する決済方法決定手段として機能する制御部２０１を備え、携帯電話１０と通信して決済処理する自動取引装置１０１とで構成し、決済条件情報と、決済方法情報及び優先条件情報とに基づいて決済方法を順位付けし、決済処理する決済方法を決定する。【選択図】図３
2010009161.tif 000002
【特許請求の範囲】
【請求項１】
決済方法に関する情報を記録した決済記録媒体と、該決済記録媒体と通信して前記決済方法により決済処理する決済処理装置とで構成した決済処理システムであって、
前記決済記録媒体に、
複数の決済方法に関する決済方法情報を記録する決済方法情報記録部と、
前記決済処理において、前記複数の決済方法を所望の優先項目で順位付けする優先条件に関する優先条件情報を記録する優先条件記録部とを有する媒体記録手段を備え、
前記決済処理装置に、
前記決済方法毎の前記優先項目における決済条件に関する決済条件情報を記録する決済条件記録手段と、
前記決済記録媒体から前記決済方法情報及び前記優先条件情報を取得する媒体記録情報取得手段と、
前記決済条件情報と、前記媒体記録情報取得手段によって取得された前記決済方法情報及び前記優先条件情報とに基づいて複数の決済方法を順位付けし、決済処理する決済方法を決定する決済方法決定手段とを備えた
決済処理システム。
【請求項２】
前記優先条件情報を、決済条件に関する優先順位が含まれる構成とし、
前記決済方法決定手段を、
前記各決済方法情報についての前記決済条件情報を前記決済条件記録手段からそれぞれ取得し、該決済条件情報の決済条件が前記優先条件情報の優先順位となるように前記各決済方法情報を順位付けする構成とした
請求項１に記載の決済処理システム。
【請求項３】
前記優先条件情報を、
優先条件の基礎となる前記優先項目が異なる複数の個別優先条件情報と、これらの個別優先条件自体を優先順位付けする全体優先条件情報とで構成し、
前記決済方法決定手段を、
前記個別優先条件情報に基づいて順位付けされた前記決済方法が同順位である場合、全体優先条件情報に基づいて次順位の優先項目における個別優先条件情報に基づいて順位付けする構成とした
請求項１または２に記載の決済処理システム。
【請求項４】
前記決済方法決定手段を、
決済内容について優先順位の高い決済方法から決済処理し、該決済処理で前記決済内容に残余部分が生じた場合に、次順位の決済方法で決済処理する組合せ決済処理を許容する構成とした
請求項１、２または３に記載の決済処理システム。
【請求項５】
前記決済処理装置に、
前記決済方法決定手段によって決定された決済方法を表示する決定結果表示手段と、
決定された決済方法とは異なる決済方法を任意に選択して決済処理を指示する別決済方法選択手段とを備え、
該別決済方法選択手段を、
前記決定結果表示手段において結果表示に表示されなかった前記決済方法も含めて選択可能に構成した
請求項１から４のうちいずれかに記載の決済処理システム。
【請求項６】
前記決済方法情報に、利用者に付与されている累積ポイント数に関する決済方法毎の累積ポイント数情報を備え、
前記決済条件情報に、前記決済内容に応じて付与されるポイント率に関する決済方法毎の付与ポイント率情報と、待遇の享受が可能なポイント数に関する決済方法毎の待遇享受可能ポイント数情報とを備え、
前記決済処理装置に、
決済処理の実行により、付与ポイント率情報に基づき付与されたポイントによって、累積ポイントが待遇享受可能ポイント数に達したか否かを判定する累積ポイント判定手段と、
該累積ポイント判定手段による判定結果を通知するポイント判定結果通知手段を備えた
請求項１から５のうちいずれかに記載の決済処理システム。
【請求項７】
前記決済処理装置を複数備えるとともに、
前記決済処理装置に、
それぞれの決済処理装置で決済処理可能な決済方法に関する可能決済方法情報を記録する可能決済方法情報記録手段と、
前記累積ポイント判定手段によって、前記累積ポイントが待遇享受可能ポイント数に達していないと判断された場合に、前記決済条件情報及び前記可能決済方法情報に基づいて、当該ポイントが付与される決済方法での決済処理が可能な他の決済処理装置を通知する他決済処理装置通知手段とを備えた
請求項６に記載の決済処理システム。
【請求項８】
決済方法に関する情報を記録した決済記録媒体と、該決済記録媒体と通信して前記決済方法により決済処理する決済処理装置とを用いる決済処理方法であって、
複数の決済方法に関する決済方法情報を記録する決済方法情報記録部と、前記決済処理において、前記複数の決済方法を所望の優先項目で順位付けする優先条件に関する優先条件情報を記録する優先条件記録部とで構成する媒体記録手段を備えた前記決済記録媒体から前記決済方法情報及び前記優先条件情報を取得する媒体記録情報取得ステップと、
前記決済処理装置に備えた決済条件記録手段から、前記決済方法毎の前記優先項目における決済条件に関する決済条件情報を取得するとともに、
取得した前記決済条件情報と、前記媒体記録情報取得手段によって取得した前記決済方法情報及び前記優先条件情報とに基づいて複数の決済方法を順位付けし、決済処理する決済方法を決定する決済方法決定ステップとを有する
決済処理方法。
【請求項９】
前記優先条件情報を、決済条件に関する優先順位が含まれる構成とし、
前記決済方法決定ステップを、
前記各決済方法情報についての前記決済条件情報を前記決済条件記録手段からそれぞれ取得し、該決済条件情報の決済条件が前記優先条件情報の優先順位となるように前記各決済方法情報を順位付けする構成とした
請求項８に記載の決済処理方法。
【請求項１０】
複数の決済方法に関する決済方法情報を記録する決済方法情報記録部と、前記決済処理において、前記複数の決済方法を所望の優先項目で順位付けする優先条件に関する優先条件情報を記録する優先条件記録部とで構成する媒体記録手段を備えた決済記録媒体から前記決済方法情報及び前記優先条件情報を取得する媒体記録情報取得手段と、
前記決済方法毎の前記優先項目における決済条件に関する決済条件情報を記録する決済条件記録手段と、
前記決済条件情報と、前記媒体記録情報取得手段によって取得された前記決済方法情報及び前記優先条件情報とに基づいて複数の決済方法を順位付けし、決済処理する決済方法を決定する決済方法決定手段とを備え、
該決済記録媒体と通信して前記決済方法により決済処理する
決済処理装置。
【請求項１１】
前記優先条件情報を、決済条件に関する優先順位が含まれる構成とし、
前記決済方法決定手段を、
前記各決済方法情報についての前記決済条件情報を前記決済条件記録手段からそれぞれ取得し、該決済条件情報の決済条件が前記優先条件情報の優先順位となるように前記各決済方法情報を順位付けする構成とした
請求項１０に記載の決済処理装置。
【発明の詳細な説明】
【技術分野】
【０００１】
本発明は、例えば、電子マネーやポイント等の有価決済情報を記録した非接触型ＩＣ媒体を用いて決済処理を行う決済処理装置、決済処理方法、及びそれらを用いる決済処理システムに関するものである。
【背景技術】
【０００２】
近年、携帯電話などのモバイル端末には近距離通信のインタフェースが搭載されている。そのインタフェースの代表例として、非接触型ＩＣ、赤外線、Ｂｌｕｅｔｏｏｔｈ等の無線通信手段が挙げられ、そのうち、非接触型ＩＣによる無線通信は「かざす」という操作が既に認知されている。
【０００３】
モバイル端末に搭載され、非接触型ＩＣ通信を構成する非接触ＩＣチップには、電子マネー、キャッシュカード、クレジットカード、ポイントカード、クーポン等の有価決済情報が電子化されて格納されているものが多く存在している（特許文献１参照）。
【０００４】
このように、電子マネー、クレジットカード等の複数の決済方法が格納されている非接触ＩＣチップ搭載携帯電話で決済する場合、決済方法毎にポイント付与率が異なっていたり、また、同じ決済方法であっても使用する店舗毎にポイント付与率が異なっていたり、ポイント満了までのポイント数や、ポイントの有効期限が分からなかったりするため、決済時に利用者にとって有益な決済方法が分かりにくいという問題があった。
【０００５】
また、特許文献１の決済処理システムでは、ポイント付与率やポイントの有効期限等の決済条件についても記載されている。しかし、この決済条件は利用者が所有する非接触ＩＣチップ搭載携帯電話に格納されている。このため、仮に、これらの決済条件が好条件に改定された場合であっても、利用者が決済条件を更新する必要があり、不便であった。
【特許文献１】特開２００７―１４１０５５号公報
【発明の開示】
【発明が解決しようとする課題】
【０００６】
この発明は、上述の問題点に鑑み、利用者にとって有益な決済方法で決済処理できる利便性の高い決済処理装置、決済処理方法、及びそれらを用いる決済処理システムを提供することを目的とする。
【課題を解決するための手段】
【０００７】
この発明は、決済方法に関する情報を記録した決済記録媒体と、該決済記録媒体と通信して前記決済方法により決済処理する決済処理装置とで構成した決済処理システムであって、前記決済記録媒体に、複数の決済方法に関する決済方法情報を記録する決済方法情報記録部と、前記決済処理において、前記複数の決済方法を所望の優先項目で順位付けする優先条件に関する優先条件情報を記録する優先条件記録部とを有する媒体記録手段を備え、前記決済処理装置に、前記決済方法毎の前記優先項目における決済条件に関する決済条件情報を記録する決済条件記録手段と、前記決済記録媒体から前記決済方法情報及び前記優先条件情報を取得する媒体記録情報取得手段と、前記決済条件情報と、前記媒体記録情報取得手段によって取得された前記決済方法情報及び前記優先条件情報とに基づいて複数の決済方法を順位付けし、決済処理する決済方法を決定する決済方法決定手段とを備えたことを特徴とする。
【０００８】
また、この発明の態様として、前記優先条件情報を、決済条件に関する優先順位が含まれる構成とし、前記決済方法決定手段を、前記各決済方法情報についての前記決済条件情報を前記決済条件記録手段からそれぞれ取得し、該決済条件情報の決済条件が前記優先条件情報の優先順位となるように前記各決済方法情報を順位付けする構成とすることができる。  
さらに、この発明は、上記決済処理システムで用いる決済処理装置、及び決済処理方法とすることができる。
【発明の効果】
【０００９】
この発明により、利用者にとって有益な決済方法で決済処理できる利便性の高い決済処理装置、決済処理方法、及びそれらを用いる決済処理システムを提供することができる。
【発明を実施するための最良の形態】
【００１０】
以下、本発明の一実施例について説明する。  
本実施例では、コンビニエンスストア等に設置され、決済処理装置としての自動取引装置１０１を例に挙げ、決済記録媒体としての非接触ＩＣチップ搭載携帯電話１０（以下において、携帯電話１０という）を用いた決済処理システムの概念図を示す図１を用いて、携帯電話１０と自動取引装置１０１を用いた決済処理システムの構成及び各装置の内部構成について説明する。
【００１１】
利用者１が所有する携帯電話１０は、通常の電話機能を構成する電話装置に加えて、近距離通信用インタフェースであり、非接触型ＩＣ通信を構成する非接触ＩＣチップ２２０（図２）を内蔵し、非接触ＩＣチップ２２０に、キャッシュカードやクレジットカードなどの様々な決済方法についての有価決済情報を電子化して格納している。
【００１２】
なお、近距離通信手段としては、非接触ＩＣチップ２２０による非接触型ＩＣ通信に限定されず、赤外線、ＢｌｕｅｔｏｏｔｈあるいはＵＷＢ（Ｕｌｔｒａ  Ｗｉｄｅ  Ｂａｎｄ）などを用いた無線通信でもよく、また、本実施例において、決済記録媒体として携帯電話１０を用いたが、ＰＤＡなどの小型モバイル端末を用いてもよい。
【００１３】
自動取引装置１０１は、キャッシュカードの磁気ストライプ等の読取、排出を行うカードユニット１０２と、明細票の作成、排出を行なう明細表出力部１０３と、利用者１へのガイダンス表示や入力などの操作を受け付け、決定結果表示手段としての操作部（タッチパネル）１０４と、利用者１が自動取引装置１０１に近づいたことを検知する顧客検知部１０５と、非接触ＩＣチップ２２０に対して非接触で読書きし、媒体記録情報取得手段としての非接触ＩＣリーダライタ１０６とを、図１に示すように、自動取引装置１０１の正面に配置している。
【００１４】
次に、自動取引装置１０１と携帯電話１０の構成ブロック図を示す図２を用いて、自動取引装置１０１と携帯電話１０の構成について説明する。  
自動取引装置１０１は、ＣＰＵやメモリにより構成された制御部２０１、データを記録する記録部１０７及びデータを送受信する通信部１０８を内部に備えている。そして、これら記録部１０７及び通信部１０８、さらに上述のカードユニット１０２、明細表出力部１０３、操作部１０４、顧客検知部１０５及び非接触ＩＣリーダライタ１０６は、内部に配置された制御部２０１に接続されており、制御部２０１によって自動取引装置全体が制御されている。
【００１５】
携帯電話１０は、ＣＰＵやメモリにより構成された携帯電話全体を制御する制御部２１１と、種々のメニューを表示する表示部（液晶パネル）２１２と、利用者１の操作や指で押下されたキー入力を受け付ける入力部２１３と、音声を入出力するマイク／スピーカー部２１４と、撮影機能を有するカメラ部２１５と、他の携帯電話と通信する（データの送受信、通話機能を有する）通信部２１６と、他の携帯電話と近距離通信する近距離通信部２１７（データの送信、転送を実行するのでデータ送信部、転送部といっても良い）と、携帯電話のプログラム等を格納する主記録部２１８、補助記録部２１９とで構成している。
【００１６】
ここで、通信部２１６は、携帯電話の基地局を経由して通信を可能にする通信装置であり、遠距離での通信が可能である。近距離通信部２１７は、他の装置を経由することなく携帯電話同士で通信する通信装置であり、通信可能な携帯電話間の距離に対し制限はあるものの、通信時のデータ漏洩の可能性が少なくてすむ。
【００１７】
さらには、携帯電話１０は、上述したような携帯電話機として機能するための通信等のデバイスに加えて、非接触型ＩＣ通信のための非接触ＩＣチップ２２０を内蔵している。非接触ＩＣチップ２２０は、非接触ＩＣチップ全体を制御する非接触ＩＣ制御部２２１と、電子マネーの残高やクレジットカードデータを記録し、媒体記録手段としての記録部２２２と、自動取引装置１０１と近距離通信するための非接触通信部２２３とで構成し、記録部２２２と非接触通信部２２３とは非接触ＩＣ制御部２２１に接続されている。
【００１８】
非接触ＩＣ制御部２２１は、自動取引装置１０１からの要求に応じて、非接触通信部２２３を介して、種々の処理を実行する。例えば、電子マネーの加減算やクレジットカードデータの送受信処理、データの書込処理などを実行する。
【００１９】
なお、表示部２１２、入力部２１３、マイク／スピーカー部２１４、カメラ部２１５、通信部２１６、近距離通信部２１７、主記録部２１８、補助記録部２１９、及び非接触ＩＣチップ２２０は制御部２１１に接続され、制御部２１１によって携帯電話１０の全体が制御されている。
【００２０】
次に、自動取引装置１０１及び携帯電話１０のソフトウェア／データ構成に関するブロック図を示す図３を用いて、自動取引装置１０１及び携帯電話１０のソフトウェア／データ構成について説明する。
【００２１】
自動取引装置１０１の記録部１０７には、アプリケーション３０１と、ミドルウェア３０２と、非接触ＩＣリーダライタ１０６を制御する非接触ＩＣリーダライタドライバー３０３と、その他ドライバー群３０４のソフトウェアと、決済条件情報としてのポイント付与率、有効期限、ポイント交換満了ポイント数等を記録し、決済条件記録手段としての決済条件情報テーブル３０６と、携帯電話１０に内蔵された非接触ＩＣチップ２２０にある優先順位テーブルが格納されているアドレス（番地）を示す優先順位番地参照テーブル３０５とが記録されている。  
なお、上述のポイント付与率、有効期限、ポイント交換満了ポイント数等決済条件情報は、決済方法毎にそれぞれ決済条件情報テーブル３０６に記録されている。
【００２２】
携帯電話１０の非接触ＩＣチップ２２０における記録部２２２は、決済方法情報としての決済方法データが格納され、決済方法情報記録部としての決済方法データ格納エリア３０７と、優先条件情報としての決済優先順位を記録し、優先条件記録部としての優先順位設定エリア３０８との２つから構成されている。
【００２３】
決済方法データ格納エリア３０７に格納された決済方法データは、クレジット決済を行う複数のクレジット事業者のクレジットカードデータ３０９や、電子マネーによる決済を行う各電子マネー事業者の電子マネーバリュー３１０で構成されている。
【００２４】
優先順位設定エリア３０８は、全体優先順位テーブル３１１と、個別優先条件群３１２とで構成され、前記全体優先順位テーブル３１１は個別優先条件自体の決済優先順位を定めるものであり、個別優先条件群３１２は優先項目ごとに個別に設定された優先条件に関するものである。
【００２５】
なお、個別優先条件群３１２には、個別優先条件として、「ポイント付与率」を優先項目とするポイント付与率テーブル３１３と、「有効期限」を優先項目とする有効期限テーブル３１４と、「利用ショップ」を優先項目とする利用ショップ別テーブル３１５と、「決済方法」を優先項目とする決済別テーブル３１６と、利用者によって任意に設定された優先項目での任意設定テーブル３１７とが属している。  
さらに、個別優先条件として任意設定された優先項目による任意設定テーブル３１７は、利用者によって設定された設定数だけ存在する。
【００２６】
次に、優先条件のデータ構成図を示す図４，５とともに、個別のデータ構成について、説明する。  
図４（ａ）に示す全体優先順位テーブル３１１は、個別優先条件群３１２に属する個別優先条件自体の優先順位を格納するテーブルであり、記録された個別優先条件の記録数を格納する個別優先条件数３１１−１と、記録されている個別優先条件を識別する識別子を優先順に格納する個別優先条件識別子３１１−２とで構成されている。
【００２７】
個別優先条件群３１２に属する個別優先条件のうちポイント付与率テーブル３１３に格納された優先条件は、ポイント付与率を優先項目とし、決済する際に付与されるポイント付与率の高い決済方法を優先する条件である。そして、ポイント付与率テーブル３１３は、当該ポイント付与率テーブル３１３に格納されている優先条件のデータ数１を格納するデータ数３１３−１と、個別優先条件の優先項目「ポイント付与率」を識別する識別子３００１を格納する個別優先条件識別子３１３−２とで構成されている（図４（ｂ）参照）。
【００２８】
個別優先条件群３１２に属する個別優先条件のうち有効期限テーブル３１４に格納された優先条件は、有効期限を優先項目とし、保有しているポイント有効期限が近い決済方法を優先する優先条件である。そして、有効期限テーブル３１４は、当該有効期限テーブル３１４に格納されている優先条件のデータ数１を格納するデータ数３１４−１と、個別優先条件の優先項目「有効期限」を識別する識別子４００１を格納する個別優先条件識別子３１４−２とで構成されている（図４（ｃ）参照）。
【００２９】
なお、優先項目としての有効期限について、上述するように、すでに保有するポイントの有効期限の近い順に優先する構成に限定されず、これから付与されるポイントの有効期限が遠いものを優先する構成であってもよい。
【００３０】
個別優先条件群３１２に属する個別優先条件のうち利用ショップ別テーブル３１５に格納された優先条件は、利用ショップを優先項目とし、決済する際に、利用するショップの決済優先順位を定めた条件である。
【００３１】
当該利用ショップ別テーブル３１５は、格納されている優先条件のデータ数を格納するデータ数３１５−１と、個別優先条件の優先項目「利用ショップ別」を識別する識別子２００１を格納する個別優先条件識別子３１５−２と、各利用ショップを識別する識別子を格納するショップ識別子３１５−３と、各利用ショップで使用できる決済方法数を格納するショップ別決済方法数３１５−４と、各利用ショップ別の決済方法の識別子を優先順に格納する決済方法識別子３１５−５とで構成されている。
【００３２】
なお、ショップ識別子３１５−３、ショップ別決済方法数３１５−４及び決済方法識別子３１５−５に格納された格納データによりショップ毎のひと組のデータが構成され、利用ショップ別テーブル３１５において上から優先順に、ショップ毎のひと組のデータが配置されている（図４（ｄ）参照）。
【００３３】
個別優先条件群３１２に属する個別優先条件のうち決済別テーブル３１６に格納された決済優先条件は、決済方法を優先項目とし、決済する際に、決済する決済方法の優先順位を定めた条件である。
【００３４】
当該決済別テーブル３１６は、決済別テーブル３１６に格納されている決済方法の識別子のデータ数を格納するデータ数３１６−１と、個別優先条件の優先項目「決済別」を識別する識別子１００１を格納する個別優先条件識別子３１６−２と、各決済方法を識別する識別子を優先順で格納する決済方法識別子３１６−３で構成されている（図５（ａ）参照）。
【００３５】
個別優先条件群３１２に属する個別優先条件のうち「任意設定テーブル３１７」は、利用者１によって任意に設定され、決済する決済方法を順位付けするための優先条件であり、当該任意設定テーブル３１７に格納されている任意の優先項目におけるデータ数「ｎ」を格納するデータ数３１７−１と、個別優先条件の優先項目「任意設定」を識別する識別子「ｘｘｘｘ」を格納する個別優先条件識別子３１７−２と、任意に設定された優先項目条件を格納する優先項目条件３１７−３で構成されている（図５（ｂ）参照）。  
なお、任意設定テーブル３１７は、制御部２０１を構成するメモリの許容量に応じて優先項目条件３１７−３を追加することができる。
【００３６】
このようなデータ構成で構成される優先条件の具体例について図６とともに説明する。  
図６（ａ）に示す全体優先順位テーブル３１１ａにおいて、個別優先条件数３１１ａ−１には記録された個別優先条件の個数を示す記録数２が格納され、個別優先条件識別子３１１ａ−２には優先順に、個別優先条件「有効期限」の識別子「４００１」と、個別優先条件「利用ショップ別」の識別子「２００１」とが格納されている。
【００３７】
このような全体優先順位テーブル３１１ａに格納される優先条件情報に対応する格納データは、図７に示すような利用者による携帯電話１０の操作によって設定することができる。  
詳しくは、携帯電話１０の表示部２１２に表示されるメニュー選択画面４０１ａ（図７（ａ））の「決済優先順位設定」ボタンが押下されると、携帯電話１０は制御部２１１（図２）の制御に基づいて、設定する決済優先順位を選択する設定優先順位選択画面４０１ｂ（図７（ｂ））を表示する。
【００３８】
この設定優先順位選択画面４０１ｂで全体優先順位の設定を行うための「全体優先順位」ボタンが押下されると、全体優先順位設定画面４０１ｃ（図７（ｃ））を表示する。
【００３９】
この全体優先順位設定画面４０１ｃには、１乃至５までの順位番号ボタンと、各順位番号ボタンに対応するテキストボックスとが表示されており、最優先する個別優先条件を設定するために、順位番号ボタン「１」が押下されると、図７（ｄ）に示す個別優先条件選択画面４０１ｄを表示する。
【００４０】
この個別優先条件選択画面４０１ｄでは、非接触ＩＣチップ２２０に格納された複数の個別優先条件が選択可能に表示され、ここで図６（ａ）に示すように、「有効期限」を最優先の個別優先条件とするべく、「ポイント有効期限」が選択されて「登録」ボタンが押下されると、順位番号ボタン「１」の横のテキストボックスに「ポイント有効期限」が格納された状態の全体優先順位設定画面４０１ｃ（図７（ｅ））に戻る。
【００４１】
同様に、次順位の個別優先条件を設定するべく順位番号ボタン「２」が押下されると、上述したように、非接触ＩＣチップ２２０に格納された複数の個別優先条件が選択可能に表示された個別優先条件選択画面４０１ｄ（図７（ｆ））を表示する。
【００４２】
そして、次順位、すなわち２つ目の個別優先条件を「利用ショップ別」とするために、「利用ショップ別」が選択されて「登録」ボタンが押下されると、順位番号ボタン「２」の横のテキストボックスに「利用ショップ別」が格納された状態の全体優先順位設定画面４０１ｃ（図７（ｇ））に戻る。このようにして、図６（ａ）に示すような全体優先順位テーブル３１１ａにおける個別優先条件の順位を利用者が設定することができる。
【００４３】
次に、図６（ｂ）に示すように、全体優先順位テーブル３１１ａに記録された２つの個別優先条件のうち「有効期限」を優先項目とする有効期限テーブル３１４について説明すると、データ数３１４ａ−１には格納されている優先条件のデータ数１が格納され、個別優先条件識別子３１４ａ−２には個別優先条件「有効期限」を識別する識別子４００１が格納されている。
【００４４】
さらに、図６（ｃ）に示すように、全体優先順位テーブル３１１ａに記録された２つの個別優先条件のうち「利用ショップ」を優先項目とする利用ショップ別テーブル３１５ａについて説明すると、データ数３１５ａ−１には格納されている優先条件のデータ数１０が格納され、個別優先条件識別子３１５ａ−２には「利用ショップ別」を識別する識別子２００１が格納され、ショップ識別子３１５ａ−３には各利用ショップを識別する識別子「ＸＹＺ百貨店８００１」や「ＡＢＣスーパー７００２」等が優先順に格納され、ショップ識別子３１５ａ−３の下側のショップ別決済方法数３１５ａ−４には各利用ショップで使用できる決済方法数「２」や「３」等が格納されている。
【００４５】
また、決済方法識別子３１５ａ−５には、各利用ショップ別の使用できる決済方法を識別する識別子を優先順に並べて格納しており、２種類の決済方法が利用できる「ＸＹＺ百貨店」の決済方法識別子３１５ａ−５には、決済方法の識別子「０２」と「０１」とがこの順で格納され、３種類の決済方法が利用できる「ＡＢＣスーパー」の決済方法識別子３１５ａ−５には、決済方法の識別子「０２」、「０３」及び「０１」がこの順で格納されている。  
なお、決済方法の識別子「０１」は「電子マネーＡ」、「０２」は「電子マネーＢ」を示し、「０３」は「クレジットＡ」を示している。
【００４６】
これにより、「ＸＹＺ百貨店」では決済方法「電子マネーＢ」が「電子マネーＡ」より優先され、「ＡＢＣスーパー」の決済方法「電子マネーＢ」、「クレジットＡ」及び「電子マネーＡ」の順で優先される。  
つまり、個別優先条件「利用ショップ別」では、利用ショップの順位に加え、各ショップの項目内容でさらに決済方法の順位が定められている。
【００４７】
なお、このような利用ショップ別テーブル３１５ａに格納されるデータは、図８に示すような利用者による携帯電話１０の操作によって設定される。  
詳しくは、全体優先順位の設定方法と同様に、携帯電話１０の表示部２１２に表示されたメニュー選択画面４０２ａ（図８（ａ））の「決済優先順位設定」ボタンが押下されたことによって、設定する決済優先順位を選択する設定優先順位選択画面４０２ｂ（図８（ｂ））を表示し、この設定優先順位選択画面４０２ｂで個別優先条件の設定を行うための「個別優先順位設定」ボタンが押下されると、個別優先順位設定画面４０２ｃ（図８（ｃ））を表示する。
【００４８】
この個別優先順位設定画面４０２ｃでは、非接触ＩＣチップ２２０に格納された複数の個別優先条件が表示された選択ボタンが表示される。なお、本実施例においては、携帯電話１０の非接触ＩＣチップ２２０に格納された決済別優先条件と利用ショップ別優先条件に対応する２つの選択ボタンが表示される。
【００４９】
ここで、図６（ｃ）に示す「利用ショップ別優先条件」を設定するために、個別優先順位設定画面４０２ｃで表示された「利用ショップ別」ボタンが押下されると、非接触ＩＣチップ２２０に格納された利用ショップに対応する選択ボタンが表示された利用ショップ選択画面４０２ｄを表示する（図８（ｄ））。なお、本実施例においては、携帯電話１０の非接触ＩＣチップ２２０に格納された「ＡＢＣスーパー」、「いろは百貨店」及び「ＸＹＺ百貨店」に対応する３つの選択ボタンが表示される。
【００５０】
まず、「ＡＢＣスーパー」の利用ショップ別優先条件を設定するために、利用ショップ選択画面４０２ｄで表示された「ＡＢＣスーパー」ボタンが押下されると、１乃至５までの順位番号ボタンと、各順位番号ボタンに対応するテキストボックスとが表示されたショップ別優先順位設定画面４０２ｅ（図８（ｅ））を表示する。  
そして、このショップでの最優先する決済方法を設定するために、順位番号ボタン「１」が押下されると、図８（ｆ）に示す優先決済方法選択画面４０２ｆを表示する。
【００５１】
この優先決済方法選択画面４０２ｆでは、非接触ＩＣチップ２２０に格納された複数の決済方法が選択可能に表示され、ここで図６（ｃ）に示すように、識別子「０２」で識別する「電子マネーＢ」を最優先の決済方法とするべく、「電子マネーＢ」が選択されて「登録」ボタンが押下されると、順位番号ボタン「１」の横のテキストボックスに「電子マネーＢ」が格納された状態のショップ別優先順位設定画面４０２ｅ（図８（ｇ））に戻る。
【００５２】
同様に、「ＡＢＣスーパー」における次順位すなわち２つ目の決済方法を設定するべく順位番号ボタン「２」が押下され、ここで図６（ｃ）に示すように、識別子「０３」で識別する「クレジットＡ」が選択されて「登録」ボタンが押下されると、順位番号ボタン「２」の横のテキストボックスに「クレジットＡ」が格納された状態のショップ別優先順位設定画面４０２ｅ（図８（ｉ））に戻る。
【００５３】
これを、各利用ショップ別に設定することによって、図６（ｃ）に示すような「利用ショップ別」個別優先順位テーブル３１５ａにおける優先条件を利用者が設定することができる。
【００５４】
続いて、優先条件の別の具体例について図９とともに説明すると、図９（ａ）に示す全体優先順位テーブル３１１ｂにおいて、個別優先条件数３１１ｂ−１には記録された個別優先条件の記録数２が格納され、個別優先条件識別子３１１ｂ−２には優先項目「ポイント付与率」の識別子「３００１」と、優先項目「決済別」の識別子「１００１」とが格納されている。
【００５５】
なお、上述したような全体優先順位テーブル３１１ｂに格納されるデータは、図１０に示すような利用者による携帯電話１０の操作によって設定することができる。  
詳しくは、図７の説明と同様に、携帯電話１０の表示部２１２に表示されるメニュー選択画面４０３ａ（図１０（ａ））の「決済優先順位設定」ボタンが押下された携帯電話１０は、設定優先順位選択画面４０３ｂ（図１０（ｂ））を表示し、この設定優先順位選択画面４０３ｂで全体優先順位の設定を行うための「全体優先順位」ボタンが押下されると、全体優先順位設定画面４０３ｃ（図１０（ｃ））を表示する。
【００５６】
この全体優先順位設定画面４０３ｃには、上述の全体優先順位設定画面４０１ｃと同様に、１乃至５までの順位番号ボタンと、そのテキストボックスとが表示されており、順位番号ボタン「１」が押下されると、非接触ＩＣチップ２２０に格納された複数の個別優先条件が選択可能に表示された個別優先条件選択画面４０３ｄ（図１０（ｄ））を表示する。
【００５７】
ここで、まず「ポイント付与率」が選択されると（図１０（ｄ））、テキストボックスに「ポイント付与率」が格納された全体優先順位設定画面４０３ｃ（図１０（ｅ））を表示する。順位番号ボタン「２」が押下されると、個別優先条件選択画面４０３ｄ（図１０（ｄ））を再度表示し、「決済別」が選択されると（図１０（ｆ））、「ポイント付与率」と「決済別」をこの順で並べた全体優先順位設定画面４０３ｃを表示する。
【００５８】
これにより、図９（ａ）に示すように、最優先の個別優先条件が「ポイント付与率」に設定され、２つ目の個別優先条件が「決済別」に設定された全体優先順位テーブル３１１ｂを利用者によって設定することができる。
【００５９】
次に、図９（ｂ）に示すように、全体優先順位テーブル３１１ｂに記録された２つの個別優先条件のうちポイント付与率を優先項目とするポイント付与率テーブル３１３ｂについて説明すると、データ数３１３ｂ−１には格納されている優先条件のデータ数１が格納され、個別優先条件識別子３１３ｂ−２には個別優先条件「ポイント付与率」を識別する識別子３００１が格納されている。
【００６０】
さらに、図９（ｃ）に示すように、全体優先順位テーブル３１１ｂに記録された２つの個別優先条件のうち決済方法を優先項目とする決済別テーブル３１６ｂについて説明すると、データ数３１６ｂ−１には格納されている優先条件のデータ数４が格納され、個別優先条件識別子３１６ｂ−２には「決済別」を識別する識別子１００１が格納され、決済方法識別子３１６ｂ−３には各決済方法を識別する識別子が優先順に並べて格納されている。
【００６１】
本実施例においては、上から順に、電子マネーＢの識別子「０２」、電子マネーＡの識別子「０１」及びクレジットＡの識別子「０３」とがこの順で格納されている。これにより、複数の決済方法において電子マネーＢの識別子「０２」、電子マネーＡの識別子「０１」及びクレジットＡの識別子「０３」の順で優先される。
【００６２】
なお、このような決済別テーブル３１６ｂに格納されるデータは、図１１に示すような利用者による携帯電話１０の操作によって設定される。  
詳しくは、全体優先順位の設定方法と同様に、携帯電話１０の表示部２１２に表示されたメニュー選択画面４０４ａ（図１１（ａ））の「決済優先順位設定」ボタンが押下されると、設定する決済優先順位を選択する設定優先順位選択画面４０４ｂ（図１１（ｂ））を表示し、この設定優先順位選択画面４０４ｂで個別優先条件の設定を行うための「個別優先順位設定」ボタンが押下されると、個別優先順位設定画面４０４ｃ（図１１（ｃ））を表示する。
【００６３】
この個別優先順位設定画面４０４ｃでは、非接触ＩＣチップ２２０に格納された複数の個別優先条件に対応する選択ボタンが表示される。なお、本実施例においては、携帯電話１０の非接触ＩＣチップ２２０に格納された決済別優先条件と利用ショップ別優先条件に対応する２つの選択ボタンが表示される。
【００６４】
ここで、図９（ｃ）に示す「決済別優先条件」を設定するために、個別優先順位設定画面４０４ｃで表示された「決済別」ボタンが押下されると、１乃至５までの順位番号ボタンと、各順位番号ボタンに対応するテキストボックスとが表示された決済別優先順位設定画面４０４ｄ（図１１（ｄ））を表示する。
【００６５】
そして、最優先する決済方法を設定するために、順位番号ボタン「１」が押下されると、図１１（ｅ）に示す優先決済方法選択画面４０４ｅを表示する。  
この優先決済方法選択画面４０４ｅでは、非接触ＩＣチップ２２０に格納された複数の決済方法が選択可能に表示され、ここで図９（ｃ）に示すように、識別子「０２」で識別する「電子マネーＢ」を最優先の決済方法とするべく、「電子マネーＢ」が選択されて「登録」ボタンが押下されると、順位番号ボタン「１」の横のテキストボックスに「電子マネーＢ」が格納された状態の決済別優先順位設定画面４０４ｄ（図１１（ｆ））に戻る。
【００６６】
同様に、次順位すなわち２つ目の決済方法を設定するべく順位番号ボタン「２」が押下され、優先決済方法選択画面４０４ｅで、図９（ｃ）に示すように、識別子「０１」で識別する「電子マネーＡ」が選択されて「登録」ボタンが押下されると（図１１（ｇ））、順位番号ボタン「２」の横のテキストボックスに「電子マネーＡ」が格納された状態のショップ別優先順位設定画面４０４ｅ（図１１（ｈ））に戻る。  
これを、決済優先順位５まで繰り返すことによって、図１１（ｉ）に示すような「決済別」個別優先順位テーブル３１６ｂにおける決済優先条件を利用者によって設定することができる。
【００６７】
続いて、自動取引装置１０１の記録部１０７に格納された決済条件情報テーブル３０６のデータ構成図を示す図１２とともに、決済条件情報テーブル３０６について説明する。  
決済条件情報テーブル３０６は、図１２（ａ）に示すように、決済条件情報テーブル３０６に格納された決済方法数を格納する決済方法数３０６−１と、決済条件情報テーブル３０６に格納された個々の決済方法に関する情報を格納する決済条件情報３０６−２とで構成されている。
【００６８】
個々の決済条件情報３０６−２には、図１２（ｂ）に示すように、各決済方法を識別する識別子を格納する決済方法識別子３０６２−１と、その決済方法におけるポイント付与率を格納するポイント付与率３０６２−２と、付与されるポイントの有効期限を格納する有効期限３０６２−３と、付与されたポイントで交換できる商品の種類数を格納するポイント交換商品種類３０６２−４と、満了ポイント数を格納する交換ポイント数３０６２−５と、交換可能な商品名を格納する交換商品名３０６２−６と、当該決済方法での決済が可能な近隣の加盟店の件数を格納する近隣加盟店数３０６２−７と、当該決済方法での決済が可能な近隣の加盟店の店名及び住所を格納する近隣加盟名＼住所３０６２−８とで構成されている。
【００６９】
なお、格納するポイント付与率３０６２−２に格納されたポイント付与率は付与ポイント率情報に対応し、交換ポイント数３０６２−５に格納された満了ポイント数は待遇享受可能ポイント数情報に対応し、近隣加盟名＼住所３０６２−８は可能決済方法情報記録手段として機能している。
【００７０】
このようなデータ構成で構成される決済条件情報テーブル３０６に格納される決済情報の具体例を示す図１３及び１４とともに、格納する決済情報について説明する。
【００７１】
図１３（ａ）に示すように、決済条件情報テーブル３０６ａにおける決済方法数３０６ａ−１には格納された決済方法数３が格納され、各決済方法情報３０６ａ−２には、各決済方法の決済条件情報が格納されており、具体的に上から順に「電子マネーＡの情報」、「電子マネーＢの情報」及び「クレジットＡの情報」が格納されている。
【００７２】
そして、図１３（ｂ）に示すように、個々の決済条件情報のうち「電子マネーＡ」用の３０６−２ａにおける決済方法識別子３０６２ａ−１には電子マネーＡの識別子「０１」が格納され、ポイント付与率３０６２ａ−２には電子マネーＡで決済した場合のポイント付与率「３％」が格納され、有効期限３０６２ａ−３には決裁した場合に付与されるポイントの有効期限である「２００８／０８／３１」が格納されている。
【００７３】
また、ポイント交換商品種類３０６２ａ−４にはポイント交換できる商品種類の数「３」が格納され、交換ポイント数３０６２ａ−５には交換ポイント数「１０００」、「３００００」あるいは「５００００」等が格納されている。さらに、交換商品名３０６２ａ−６には交換ポイント数３０６２ａ−５に格納した交換ポイントで交換できる商品名「１００００円商品券」、「３００００円商品券」あるいは「５００００円商品券」が格納されている。
【００７４】
さらにまた、近隣加盟店数３０６２ａ−７には「電子マネーＡ」での決済が可能な近隣の加盟店の件数「１０」が格納され、近隣加盟名＼住所３０６２ａ−８には近隣の加盟店の店名及び住所「ＡＢＣスーパー＼東京都品川区・・・」等が格納されている。
【００７５】
同様に、図１４（ａ）に示すように、個々の決済方法情報のうち「電子マネーＢ」用の３０６−２ｂにおける決済方法識別子３０６２ｂ−１には「電子マネーＢの識別子「０２」が格納され、ポイント付与率３０６２ｂ−２には電子マネーＢで決済した場合のポイント付与率「５％」が格納され、有効期限３０６２ｂ−３には決裁した場合に付与されるポイントの有効期限である「２００８／０８／３１」が格納されている。
【００７６】
また、ポイント交換商品種類３０６２ｂ−４にはポイント交換できる商品種類の数「１」が格納され、交換ポイント数３０６２ｂ−５には交換ポイント数「５００００」が格納されている。さらに、交換商品名３０６２ｂ−６には交換ポイント数３０６２ｂ−５に格納した交換ポイントで交換できる商品名「１００００円商品券」が格納され、近隣加盟店数３０６２ｂ−７には「電子マネーＢ」での決済が可能な近隣の加盟店の件数「３」が格納され、近隣加盟名＼住所３０６２ｂ−８には近隣の加盟店の店名及び住所「ＸＹＺ百貨店＼神奈川県横浜市・・・」等が格納されている。
【００７７】
また、図１４（ｂ）に示すように、個々の決済方法情報のうち「クレジットＡ」用の３０６−２ｃにおける決済方法識別子３０６２ｃ−１には「クレジットＡの識別子「０３」が格納され、ポイント付与率３０６２ｃ−２にはクレジットＡで決済した場合のポイント付与率「３％」が格納され、有効期限３０６２ｃ−３には決裁した場合に付与されるポイントの有効期限である「２００８／１０／３１」が格納されている。
【００７８】
また、ポイント交換商品種類３０６２ｃ−４にはポイント交換できる商品種類の数「１」が格納され、交換ポイント数３０６２ｃ−５には交換ポイント数「３０００」が格納されている。さらに、交換商品名３０６２ｃ−６には交換ポイント数３０６２ｃ−５に格納した交換ポイントで交換できる商品名「１００００円商品券」が格納され、近隣加盟店数３０６２ｃ−７には「電子マネーＣ」での決済が可能な近隣の加盟店の件数「２」が格納され、近隣加盟名＼住所３０６２ｃ−８には近隣の加盟店の店名及び住所「いろは百貨店＼神奈川県小田原市・・・」等が格納されている。
【００７９】
続いて、優先順位番地参照テーブル３０５のデータ構成図を示す図１５とともに、優先順位番地参照テーブル３０５について説明する。  
優先順位番地参照テーブル３０５は、携帯電話１０の非接触ＩＣチップ２２０に格納されている各優先順位テーブルの非接触ＩＣチップ２２０における格納場所の番地を示すものであり、図１５（ａ）に示すように、優先順位番地参照テーブル３０５に格納された優先条件数を格納するデータ数３０５−１と、全体優先条件を識別する識別子を格納する全体優先条件識別子３０５−２と、全体優先順位テーブル３１１を格納する非接触ＩＣチップ２２０における番地を示す全体優先順位番地３０５−３と、個別の優先条件の識別子を格納する個別優先条件識別子３０５−４と、その個別優先条件テーブルを格納する非接触ＩＣチップ２２０における番地を示す個別優先順位番地３０５−５とで構成している。
【００８０】
このようなデータ構成で構成される優先順位番地参照テーブル３０５に格納される優先順位番地情報の具体例を示す図１５（ｂ）とともに、格納する優先順位番地について説明すると、優先順位番地参照テーブル３０５ａにおけるデータ数３０５ａ−１には、優先順位番地参照テーブル３０５ａに格納する全体優先条件と個別優先条件の合わせた優先条件数「５」が格納されている。
【００８１】
全体優先条件識別子３０５ａ−２には全体優先条件を識別する識別子「００００」を格納するとともに、全体優先順位番地３０５ａ−３には非接触ＩＣチップ２２０における全体優先順位テーブル３１１の番地「０００００番地」が格納されている。
【００８２】
さらには、個別優先条件識別子３０５−４には優先項目「決済別」に該当する識別子「１００１」、優先項目「利用ショップ別」に該当する識別子「２００１」、優先項目「ポイント付与率」に該当する識別子「３００１」及び優先項目「有効期限」に該当する識別子「４００１」等が格納され、個別優先順位番地３０５−５には、それぞれの個別優先条件識別子３０５−４に格納された識別子で識別される優先条件のテーブルを格納する非接触ＩＣチップ２２０における番地「１２０００番地」、「１４０００番地」、「１７０００番地」及び「１８０００番地」等が格納されている。
【００８３】
このように構成された携帯電話１０及び自動取引装置１０１を用いた決済処理システムの処理フローを図１６乃至２２とともに説明する。なお、図１６及び１７は、決済処理における自動取引装置１０１の操作部１０４に表示される表示画面を示し、図１８乃至２７は決済処理のフロー図を示している。
【００８４】
まず、自動取引装置１０１の操作部１０４（タッチパネル）に表示する待ち受け画面１０４ａ（図１６（ａ））において、利用者１により取引として「商品購入」ボタンが選択されて押下されるのを検知するまで待機する（ステップｓ６０１）。
【００８５】
待ち受け画面１０４ａで「商品購入」ボタンが押下された自動取引装置１０１は、第１指示画面１０４ｂ（図１６（ｂ））を表示する。なお、第１指示画面１０４ｂでは非接触ＩＣ媒体である非接触ＩＣチップ２２０を搭載した携帯電話１０を非接触ＩＣリーダライタ１０６に置くように案内する画面である（ステップｓ６０２）。
【００８６】
この第１指示画面１０４ｂを表示した自動取引装置１０１は、携帯電話１０が非接触ＩＣリーダライタ１０６に置かれたことを検知するために、制御部２０１が制御して非接触ＩＣリーダライタ１０６からポーリングを送信する（ステップｓ６０３）。
【００８７】
携帯電話１０の非接触ＩＣチップ２２０（なお、以下においては単に携帯電話１０として説明する。）は、非接触ＩＣリーダライタ１０６からポーリングに応答し（ステップｓ６０４）、携帯電話１０からのポーリング応答を受信した自動取引装置１０１は、非接触ＩＣチップ２２０を有する携帯電話１０が非接触ＩＣリーダライタ１０６に置かれたと検知したとして次画面に進む（ステップｓ６０５：はい）。
【００８８】
なお、携帯電話１０からのポーリング応答が受信できない場合（ステップｓ６０５：いいえ）、自動取引装置１０１はステップｓ６０３に戻り、携帯電話１０に対して再度ポーリングを送信し、携帯電話１０からのポーリング応答が得られるまで繰り返す。
【００８９】
非接触ＩＣリーダライタ１０６に携帯電話１０が載置されたことを検知した自動取引装置１０１は、この取引装置を用いて購入及び決済する内容を選択する購入希望選択画面１０４ｃ（図１６（ｃ））を表示する。
【００９０】
この購入希望選択画面１０４ｃで、利用者１によって購入及び決済する決済サービスが選択されると（ステップｓ６０６）、自動取引装置１０１は、選択した商品の金額を表示するとともに、購入を確認する購入確認画面１０４ｄ（図１６（ｄ））を表示する（ステップｓ６０７）。
【００９１】
この購入確認画面１０４ｄで、「次へ」ボタンが押下されると、自動取引装置１０１は、利用者による商品購入の確認が得られたとして、携帯電話１０の非接触ＩＣ２２０に格納された複数の決済方法を読出す読出しコマンドを携帯電話１０に送信し（ステップｓ６０８）、自動取引装置１０１からの読出しコマンドを受信した携帯電話１０は決済方法に関する情報である決済方法データを自動取引装置１０１に送信する（ステップｓ６０９）。
【００９２】
さらに、図１９に示すように、自動取引装置１０１は、優先順位番地参照テーブル３０５を参照して、非接触ＩＣチップ２２０上の全体優先順位テーブル３１１を読出す全体優先順位読出しコマンドを携帯電話１０に送信する（ステップｓ６１０）。自動取引装置１０１からの全体優先順位読出しコマンドを受信した携帯電話１０は全体優先順位テーブル３１１を全体優先順位テーブル情報として送信する（ステップｓ６１１）。なお、ステップｓ６０８乃至６１１は媒体記録情報取得ステップに対応している。
【００９３】
このように、全体優先順位テーブル情報を受信した自動取引装置１０１の制御部２０１は、全体優先順位テーブルの１つ目の個別優先条件が何かを判別する（ステップｓ６１２，ｓ６１３，ｓ６１５，ｓ６１７，ｓ６１９）。  
なお、このときの自動取引装置１０１の制御部２０１は、決済方法決定手段として機能している。
【００９４】
そして、自動取引装置１０１は、全体優先条件において１つ目、すなわち最優先として判別された個別優先条件に従い、ステップｓ６０８で読み出した決済方法データに該当する決済方法を並び替える（ステップｓ６１４，６１６，６１８，６２０）。
【００９５】
詳しくは、全体優先順位テーブル３１１における最優先の項目が「決済別」である場合（ステップｓ６１３：はい）、決済別優先条件（個別優先条件「決済別」）に従って複数の決済方法を順位付けして保存する（ステップｓ６１４）。このとき、同一順位の決済方法があればそのまま同一順位としておく。
【００９６】
最優先の項目が「決済別」ではなく（ステップｓ６１３：いいえ）、「利用ショップ別」である場合（ステップｓ６１５：はい）、利用ショップ別優先条件に従って複数の決済方法を順位付けして保存する（ステップｓ６１６）。
【００９７】
最優先の項目が「利用ショップ別」ではなく（ステップｓ６１５：いいえ）、「ポイント付与率」である場合（ステップｓ６１７：はい）、ポイント付与率優先条件に従って複数の決済方法を順位付けして保存する（ステップｓ６１８）。
【００９８】
なお、このとき決済方法決定手段としての制御部２０１は、自動取引装置１０１の記録部１０７に記録された決済条件情報テーブル３０６のポイント付与率３０６２−２から、各決済方法に対応するポイント付与率を抽出し、この抽出したポイント付与率が高い順となるように決済方法を順位付けする。
【００９９】
最優先の項目が「ポイント付与率」ではなく（ステップｓ６１７：いいえ）、「ポイント有効期限」である場合（ステップｓ６１９：はい）、ポイント有効期限優先条件に従って複数の決済方法を順位付けして保存する（ステップｓ６２０）。
【０１００】
また、「ポイント付与率」を優先項目とした順位付けの場合と同様に、制御部２０１は、自動取引装置１０１の記録部１０７に記録された決済条件情報テーブル３０６の有効期限３０６２−３から、各決済方法に対応するポイント有効期限を抽出し、この抽出したポイント有効期限が近い順となるように決済方法を順位付けする。
【０１０１】
なお、最終的に、最優先の項目が「ポイント有効期限」でもない場合（ステップｓ６１９：いいえ）、自動取引装置１０１は、個別優先条件の判別が異常であるとして異常終了する（ステップｓ６２１）。
【０１０２】
さらに、それぞれの順位付けの結果、制御部２０１は、順位付けされなかった決済方法を制御部２０１のメモリから消去し、以後の処理の高速化を図っている。
【０１０３】
このようにして、全体優先条件において最優先である優先項目に従って順位付けした決済方法において同一順位がある場合（ステップｓ６２２：はい）、且つ、読み出した全体優先順位テーブルが終わりでない場合、すなわち次順位の個別優先条件がある場合（ステップｓ６２３：いいえ）、読み出した全体優先順位テーブルの２つ目の優先条件が何かを判別する（ステップｓ６２４、６２５，６２７，６２９，６３１，６１９）。
【０１０４】
判別した個別優先条件に従い、ステップｓ６１４，ｓ６１６，ｓ６１８或いはｓ６２０での順位付けにおいて同一順位である決済方法に関して、この優先条件で再度順位付けする（ステップｓ６２６，６２８，６３０，６３２）。
【０１０５】
詳しくは、全体優先順位テーブル３１１における２つ目に優先する優先項目が「決済別」である場合（ステップｓ６２５：はい）、決済別優先条件に従って同一順位であった決済方法を順位付けして保存する（ステップｓ６２６）。
【０１０６】
２つ目に優先する優先項目が「決済別」ではなく（ステップｓ６２５：いいえ）、「利用ショップ別」である場合（ステップｓ６２７：はい）、利用ショップ別優先条件に従って同一順位であった決済方法を順位付けして保存する（ステップｓ６２８）。
【０１０７】
２つ目に優先する優先項目が「利用ショップ別」ではなく（ステップｓ６２７：いいえ）、「ポイント付与率」である場合（ステップｓ６２９：はい）、ポイント付与率優先条件に従って同一順位であった決済方法を順位付けして保存する（ステップｓ６３０）。
【０１０８】
この場合も、上述したように制御部２０１は、決済条件情報テーブル３０６のポイント付与率３０６２−２から、各決済方法に対応するポイント付与率を抽出し、この抽出したポイント付与率が高い順となるように決済方法を順位付けする。
【０１０９】
２つ目に優先する優先項目が「ポイント付与率」ではなく（ステップｓ６２９：いいえ）、「ポイント有効期限」である場合（ステップｓ６３１：はい）、ポイント有効期限優先条件に従って同一順位であった決済方法を順位付けして保存する（ステップｓ６３２）。
【０１１０】
さらにこの場合も、上述したように制御部２０１は、決済条件情報テーブル３０６の有効期限３０６２−３から、各決済方法に対応するポイント有効期限を抽出し、この抽出したポイント有効期限が近い順となるように決済方法を順位付けする。
【０１１１】
なお、最終的に、２つ目に優先する優先項目が「ポイント付与率」でもない場合（ステップｓ６３１：いいえ）、自動取引装置１０１は、個別優先条件の判別が異常であるとして異常終了する（ステップｓ６３３）。
【０１１２】
更に、同一順位があり（ステップｓ６３４：はい）、全体優先順位テーブルが終わらない場合、すなわち次順位の個別優先条件がある場合（ステップｓ６３５：いいえ）、読み出した全体優先順位テーブルの３つ目の優先項目でステップｓ６２５乃至６３２を繰り返し、同一順位がなくなるまで（ステップｓ６２２，６３４：いいえ）、或いは読み出した全体優先順位テーブルが終わるまで（ステップｓ６２３，６３５：はい）繰り返し、次に進む。なお、ステップｓ６１２乃至ｓ６３５は決済方法決定ステップに対応している。
【０１１３】
そして、図２１に示すように、前記ステップｓ６１２乃至ｓ６３５で順位付けした決済方法における優先順位の１つ目、すなわち最優先の決済方法が電子マネーか否かを判断する（ステップｓ６３６、６３６ａ）。
【０１１４】
最優先の決済方法が電子マネーである場合（ステップｓ６３６ａ：はい）、携帯電話１０の非接触ＩＣチップ２２０から電子マネー残高を読み出し（ステップｓ６３８）、読み出した残高及び電子マネー名を決済シミュレーションテーブルに保存する（ステップｓ６３７）。
【０１１５】
なお、決済シミュレーションテーブルは、制御部２０１を構成するメモリに、決済方法決定手段として機能する制御部２０１の決済方法のシミュレーション結果を一時的に保存するテーブルである。
【０１１６】
さらに、当該電子マネーのポイント付与率を決済条件情報テーブル３０６のポイント付与率３０６２−２から検索し、累積ポイント数を計算し、これを決済シミュレーションテーブルに保存した上で電子マネー残高から、決済内容としての購入金額を引く（ステップｓ６３９）。引き算結果がマイナスなら（ステップｓ６４０：はい）、不足金額を保存し（ステップｓ６４１）、決済内容の残余部分としての残額を決済する決済方法をさらに探す。
【０１１７】
ここで、順位付けした決済方法の決済優先順位の２つ目も電子マネーの場合（ステップｓ６４４：はい）、前記ステップｓ６４５〜６５０まで同様に行ない、順位付けした決済方法がなくなるまでこれを繰り返す（ステップｓ６４２，ｓ６５１：いいえ）。
【０１１８】
詳しくは、前記ステップｓ６３５までに並び替えた決済方法の決済優先順位の２つ目に順位付けされた決済方法が電子マネーか否かを判断する（ステップｓ６４３、６４４）。
【０１１９】
そして、２つ目に順位付けされた決済方法が電子マネーである場合（ステップｓ６４４：はい）、携帯電話１０の非接触ＩＣチップ２２０から電子マネー残高を読み出し（ステップｓ６４６）、読み出した残高及び電子マネー名を決済シミュレーションテーブルに保存する（ステップｓ６４５）。
【０１２０】
さらに、当該電子マネーのポイント付与率を決済条件情報テーブル３０６のポイント付与率３０６２−２から検索し、累積ポイント数を計算し、これを決済シミュレーションテーブルに保存した上で（ステップｓ６４７）、電子マネー残高から購入金額を引く（ステップｓ６４８）。引き算結果がマイナスなら（ステップｓ６４９：はい）、不足金額を保存する（ステップｓ６５０）。
【０１２１】
最優先に順位付けされた決済方法が電子マネーでない場合（ステップｓ６３６ａ：いいえ）や、最優先に順位付けされた決済方法が電子マネーであるが２つ目に順位付けされた決済方法が電子マネーでない場合で（ステップｓ６４４：いいえ）、図２３に示すように、且つ当該順位の決済方法がクレジットの場合（ステップｓ６５２：はい）、購入金額及び不足金額、並びにクレジットの決済方法を決済シミュレーションテーブルに保存する（ステップｓ６５３）。
【０１２２】
そして、決済条件情報テーブル３０６のポイント付与率３０６２−２から該当クレジット決済のポイント付与率を検索し、そのポイント付与率から累積ポイント数を計算し、決済シミュレーションテーブルに保存する（ステップｓ６５４）。
【０１２３】
さらに、最優先、或いは２つ目に順位付けされた決済方法が電子マネーでなく、且つ当該順位の決済方法がクレジットでない場合（ステップｓ６５２：いいえ）、決済条件情報テーブル３０６のポイント付与率３０６２−２から該当決済のポイント付与率を検索し、そのポイント付与率から累積ポイント数を計算し、決済シミュレーションテーブルに保存する（ステップｓ６５５）。
【０１２４】
このように、決済方法決定手段として機能する制御部２０１は、最優先の決済方法（例えば、電子マネーＡ）での決済処理において残額が不足する場合等において、最優先でない、すなわち２番目、３番目に順位付けされた決済方法と組み合わせて、１つの購入金額等の決済内容を組合せ決済処理することができる。
【０１２５】
なお、クレジットによる決済方法が最優先である場合であっても、クレジットの与信額が決済内容より低く決済処理できない場合や、一回当たりのクレジット決済限度額が決済内容より低く決済処理できない場合であっても、クレジット決済できる決済内容と、例えば、電子マネー等の最優先でない決済方法と組み合わせ、１つの購入金額等の決済内容を組合せ決済処理してもよい。
【０１２６】
さらに、図２４に示すように、決済方法決定手段として機能する制御部２０１は、一時的に保存した決済シミュレーションテーブル上にある決済方法以外で、かつ、携帯電話１０の非接触ＩＣチップ２２０にある決済方法を検索し、該当する決済方法のポイント累積数を携帯電話１０から読取る（ステップｓ６５６）。
【０１２７】
また、累積ポイント判定手段として機能する制御部２０１は、ステップｓ６５６で携帯電話１０から読み取った決済方法についての決済条件情報テーブル３０６から該当決済方法の商品交換満了ポイントと、読取ったポイント累積数の差を計算し、別決済シミュレーションテーブルに保存し、また有効期限も保存し（ステップｓ６５７）、決済シミュレーションテーブルと別決済シミュレーションテーブルが表示され、ポイント判定結果通知手段としての決済方法確認画面１０４ｅ（図１６（ｅ））を自動取引装置１０１の画面上に表示する（ステップｓ６５８）。  
なお、別決済シミュレーションテーブルは、制御部２０１を構成するメモリに、シミュレーション結果を一時的に保存するテーブルである。
【０１２８】
この決済方法確認画面１０４ｅに表示された、「決済」ボタンが押下されると（ステップｓ６５９：はい）、決済シミュレーションテーブルに保存された決済方法毎に累積ポイントを計算し、決済条件情報テーブル３０６の交換ポイント数との差、当決済方法の有効期限及び決済結果（決済方法と決済金額）を決済完了画面１０４ｆ（図１６（ｆ））に表示する（ステップｓ６６０）。
【０１２９】
この決済完了画面１０４ｆで近隣決済可能店舗表示ボタンが押下されると（ステップｓ６６１：はい）、決済シミュレーションテーブルに保存された決済方法毎に決済条件情報テーブル３０６に登録している近隣加盟店名を表示する近隣加盟店名表示画面１０４ｇ，１０４ｇ’や、クレジット決済可能近隣店舗表示画面１０４ｈ（図１７（ａ），（ｂ），（ｃ））を表示する：（ステップｓ６６２）。  
なお、近隣加盟店名表示画面１０４ｇ，１０４ｇ’や、クレジット決済可能近隣店舗表示画面１０４ｈは、他決済処理装置通知手段として機能している。
【０１３０】
この近隣加盟店名表示画面１０４ｇ，１０４ｇ’やクレジット決済可能近隣店舗表示画面１０４ｈにおける表示店舗ごとに表示された地図ボタンが押下された場合（ステップｓ６６３：はい）、該当店舗の地図を表示する（ステップｓ６６４）。
【０１３１】
また、上記決済方法確認画面１０４ｅ（図１６（ｅ））において、別決済方法選択手段としての別支払い方法で決済する「別の支払い方法で決済する」ボタンが押下された場合（ステップｓ６５９：いいえ）、図２６に示すように、別決済シミュレーションテーブルが表示された別決済選択画面１０４ｉ（図１７（ｄ））を表示する（ステップｓ６６５）。
【０１３２】
この別決済選択画面１０４ｉで表示された決済方法が選択されると（ステップｓ６６６）、次の別決済確認画面１０４ｊ（図１７（ｅ））を表示する。この別決済確認画面１０４ｊで「決済」ボタンが押下され、選択した決済方法で決済する場合（ステップｓ６６７：はい）、決済条件情報テーブル３０６から該当決済方法のポイント付与率を読取り、ポイント計算し、累積ポイントに加算し携帯電話１０の非接触ＩＣチップ２２０に加算結果を書き込む（ステップｓ６６９）。決済しない場合（ステップｓ６６７：いいえ）、前画面である別決済選択画面１０４ｉに戻る（ステップｓ６６８）。
【０１３３】
累積ポイント判定手段として機能する制御部２０１は、ステップｓ６６９の次に加算した累積ポイントが決済条件情報テーブル３０６の交換ポイントに達しているかを判断し、交換ポイントに達していない場合（ステップｓ６７０：いいえ）、決済金額、累積ポイント、ポイント有効期限を表示して（ステップｓ６７１）、終了する。
【０１３４】
交換ポイントに達している場合（ステップｓ６７０：はい）、決済金額、累積ポイント、ポイント有効期限、及びポイント交換商品名を表示し、交換商品名が商品券の場合、印刷ボタンが表示された別決済完了通知画面１０４ｋ（図１７（ｆ））を表示する（ステップｓ６７２）。
【０１３５】
この別決済完了通知画面１０４ｋで商品券の印刷ボタンが押下されると（ステップｓ６７３：はい）、商品券を印刷し、交換ポイント数を累積ポイント数から減算し、携帯電話１０の非接触ＩＣチップ２２０に減算結果を書き込む（ステップｓ６７４）。印刷しない場合は（ステップｓ６７３：いいえ）そのまま終了する。
【０１３６】
上述したように、決済方法に関する決済方法データを記録した携帯電話１０と、該携帯電話１０と通信して前記決済方法により決済処理する自動取引装置１０１とで構成する決済処理システムの携帯電話１０に、複数の決済方法に関する電子マネーの残高等の決済方法データを記録する決済方法データ格納エリア３０７と、前記決済処理において、前記複数の決済方法を「ポイント付与率」や「利用ショップ」等の所望の優先項目で順位付けする優先条件に関する優先条件情報を記録する優先順位設定エリア３０８とを有する記録部２２２を備え、前記自動取引装置１０１に、前記決済方法毎の前記優先項目における「ポイント付与率」等の決済条件に関する決済条件情報を記録する決済条件情報テーブル３０６と、携帯電話１０から前記決済方法情報及び前記優先条件情報を取得する非接触ＩＣリーダライタ１０６と、前記決済条件情報と、前記非接触ＩＣリーダライタ１０６によって取得された前記決済方法情報及び前記優先条件情報とに基づいて複数の決済方法を順位付けし、決済処理する決済方法を決定する決済方法決定手段として機能する制御部２０１を備え、前記優先条件情報を、決済条件に関する優先順位が含まれる構成とし、制御部２０１を、前記非接触ＩＣリーダライタ１０６によって取得された前記決済方法情報についての前記決済条件情報を決済条件情報テーブル３０６からそれぞれ取得し、該決済条件情報の決済条件が前記優先条件情報の優先順位となるように前記各決済方法情報を順位付けし、決済処理する決済方法を決定する構成としたことにより、利用者は複数の有価決済情報が格納された携帯電話１０を用いて、決済処理において有効な決済方法での決済処理を行うことができる。
【０１３７】
詳しくは、所望の優先項目で複数の決済方法を順位付けして決済処理する決済方法を自動的に決定できるため、利用者は迷うことなく容易に有益な決済方法で決済処理することができる。
【０１３８】
また、ポイント付与率やポイント有効期限等の決済提供事業者によって定められる決済条件を自動取引装置１０１の決済条件情報テーブル３０６に記録しているため、容易に最新の決済条件で決済処理することができる。
【０１３９】
詳しくは、仮に、決済提供事業者によって定められる決済条件を利用者が所有する携帯電話１０に記録し、複数の決済方法を順位付けする場合であれば、利用者の携帯電話１０に記録されている決済条件を最新の決済条件に更新するために、利用者が個別に更新作業を行う必要があり、利用者にとってその更新作業の煩わしさがある。
【０１４０】
また、携帯電話１０の決済条件が更新されていなければ、決済方法を順位付けする際の決済条件と、実際の決済処理時点での決済条件が異なることもあり得る。しかし、上述の構成により、例えば通信部１０８等を用いて自動取引装置１０１の決済条件情報テーブル３０６に記録された決済条件を一斉に更新できるため、容易に最新の決済条件で順位付けできる。また、利用者をわずらわすことなく、最新の決済条件を更新できるため、利便性が向上し、利用者の満足度を向上することができる。
【０１４１】
また、前記決済処理における決済方法の順位付けにおいて、優先条件情報を記録する優先順位設定エリア３０８を、優先条件の基礎となり、優先項目が異なる複数の個別優先条件情報を記録する個別優先条件群３１２と、これらの個別優先条件自体を優先順位付けする全体優先条件情報を記録する全体優先順位テーブル３１１とで構成し、前記個別優先条件情報に基づいて順位付けされた決済方法が同順位である場合、全体優先条件情報に基づいて次順位の優先項目における個別優先条件情報に基づいて順位付けする構成とした。これによって、例えば、所望の優先項目での決済方法の順位付けができない場合に、次に希望する優先項目での順位付けができるため、より利用者によって有用な決済方法での決済処理を実現することができる。
【０１４２】
さらにまた、ある決済金額での決済処理において、決済方法決定手段として機能する制御部２０１が、決済内容について優先順位の高い決済方法から決済処理し、該決済処理において、与信額や電子マネーの残額に基づいて決済金額に残余部分が生じた場合に、次順位の決済方法で決済処理する組合せ決済処理を許容する構成としたことにより、残高不足によって所望の決済方法が利用できなといった利用者にとって不利益な決済方法での決済処理になる可能性を低減している。
【０１４３】
さらに、自動取引装置１０１の操作部１０４に決定された決済方法を決済方法確認画面１０４ｅに表示し、異なる決済方法での決済処理を指示する「別の支払い方法で決済する」ボタンとを備え、別決済選択画面１０４ｉに示すように、決定された決済方法として決済方法確認画面１０４ｅに表示されていなかった決済方法も含めて選択可能に構成したことにより、所望の優先項目による順位付けがされなかったことによって選択できなかった決済方法での決済処理ができるため、利用者の判断による決済方法の選択の幅が広がり、利用者の満足度が向上する。
【０１４４】
また、一旦順位付けされなかった決済方法の決済方法データを破棄し、利用者からの他決済方法での処理の指示があってから、携帯電話１０に順位付けされなかった決済方法の決済方法データを再度取得する構成としたことによって、順位付けされなかった決済方法に関する決済方法データを保持していた場合と比較し、制御部２０１を構成するメモリに余裕ができ、その他の処理速度の向上を図ることができる。
【０１４５】
また、決済処理の実行により、付与ポイント率情報に基づき付与されたポイントによって、累積ポイントが待遇享受可能ポイント数に達したか否かを判定するため、利用者は、決済処理されたその場で交換ポイントに達したことを確認でき、累積ポイントを商品に交換するための利便性が向上する。
【０１４６】
また、決済処理によるポイント付与によっても、交換ポイントに達しない場合であっても、近くの決済可能店舗を表示できるため、利用者は交換ポイントに近いポイントを保有している利用者にとってポイントの蓄積が容易となる。さらに、近隣の決済可能店舗にとっても、決済取引の可能性が向上する。
【０１４７】
なお、この発明は、上述の実施形態の構成のみに限定されるものではなく、多くの実施の形態を得ることができる。
【図面の簡単な説明】
【０１４８】
【図１】決済処理システムの概念図。
【図２】自動取引装置と非接触ＩＣチップ搭載携帯電話の構成ブロック図。
【図３】ソフトウェア／データ構成に関するブロック図。
【図４】優先条件テーブルのデータ構成図。
【図５】優先条件テーブルのデータ構成図。
【図６】優先条件テーブルのデータ構成図の具体例。
【図７】非接触ＩＣチップ搭載携帯電話の優先条件設定画面。
【図８】非接触ＩＣチップ搭載携帯電話の優先条件設定画面。
【図９】優先条件テーブルのデータ構成図の具体例。
【図１０】非接触ＩＣチップ搭載携帯電話の優先条件設定画面。
【図１１】非接触ＩＣチップ搭載携帯電話の優先条件設定画面。
【図１２】決済条件情報テーブルのデータ構成図。
【図１３】決済条件情報テーブルのデータ構成図の具体例。
【図１４】決済条件情報テーブルのデータ構成図の具体例。
【図１５】優先順位番地参照テーブルのデータ構成図。
【図１６】決済処理における操作部に表示される表示画面。
【図１７】決済処理における操作部に表示される表示画面。
【図１８】決済処理のフロー図。
【図１９】決済処理のフロー図。
【図２０】決済処理のフロー図。
【図２１】決済処理のフロー図。
【図２２】決済処理のフロー図。
【図２３】決済処理のフロー図。
【図２４】決済処理のフロー図。
【図２５】決済処理のフロー図。
【図２６】決済処理のフロー図。
【図２７】決済処理のフロー図。
【符号の説明】
【０１４９】
１０…非接触ＩＣチップ携帯電話
１０１…自動取引装置
１０４…操作部
１０６…非接触ＩＣリーダライタ
２０１…制御部
２２２…記録部
３０６…決済条件情報テーブル
３０７…決済データ格納エリア
３０８…優先順位設定エリア
３１１…全体優先順位テーブル
３１２…個別優先条件群
【図１】
2010009161.tif 000003
【図２】
2010009161.tif 000004
【図３】
2010009161.tif 000005
【図４】
2010009161.tif 000006
【図５】
2010009161.tif 000007
【図６】
2010009161.tif 000008
【図７】
2010009161.tif 000009
【図８】
2010009161.tif 000010
【図９】
2010009161.tif 000011
【図１０】
2010009161.tif 000012
【図１１】
2010009161.tif 000013
【図１２】
2010009161.tif 000014
【図１３】
2010009161.tif 000015
【図１４】
2010009161.tif 000016
【図１５】
2010009161.tif 000017
【図１６】
2010009161.tif 000018
【図１７】
2010009161.tif 000019
【図１８】
2010009161.tif 000020
【図１９】
2010009161.tif 000021
【図２０】
2010009161.tif 000022
【図２１】
2010009161.tif 000023
【図２２】
2010009161.tif 000024
【図２３】
2010009161.tif 000025
【図２４】
2010009161.tif 000026
【図２５】
2010009161.tif 000027
【図２６】
2010009161.tif 000028
【図２７】
2010009161.tif 000029